(57)【特許請求の範囲】
【請求項１】
座と背もたれとを備えており、前記背もたれは、合成樹脂製の背インナー板とその前面に張ったクッションとを備えており、前記背インナー板のうち着座した人の腰部が当たる部分は、前後方向と上下方向とのうち少なくとも上下方向に移動調節できる左右の支持体によって裏側から支持されており、
前記背インナー板に、当該背インナー板が人の腰に当たる部分を中心にして大きく撓み変形することを容易ならしめるための変形容易化手段が、背インナー板の左右側縁まで広がるように形成されており、
更に、前記背インナー板のうち縦長中心線を挟んだ左右両側のエリアでかつ前記支持体が当たる高さ位置とその上下両側とに、前記変形容易化手段として、水平状又は傾斜状に延びるスリットを多段に形成して成るサイドスリット群が設けられている、
という構成において、
前記支持体は、水平状の軸心回りに回転し得るローラであり、このローラが高さ調節自在に配置されている一方、
前記サイドスリット群は、背インナー板の外側に開口する状態で多段に形成された外側スリットの群と、前記外側スリットの群の内側において多段に形成された内側スリットの群とから成っており、前記外側スリットと内側スリットとは、前記ローラが当たる部分で左右に分断されて非連続になっている、
椅子。
【発明の詳細な説明】
【０００１】
【発明の属する技術分野】
本発明は、椅子に関するものである。
【０００２】
【従来の技術】
椅子において、背もたれを着座した人の腰にフィットさせるため、ランバーサポート機構を設けることが行われている。
【０００３】
その一例として、特許第３０３８１７４号公報には、座板と背当て板とを合成樹脂によって一体に連続させると共に、それら座板と背当て板とにクッションを張った構造の椅子において、背もたれの裏側に背支稈を立設し、この背支稈に、背当て板の左右中間部を前向き凸状に変形させる側面視前向き凸状の突出部材を高さ調節自在に取付けることが記載されている。
【０００４】
また、この特許第３０３８１７４号公報では、背当て板のうち突出部材の当たる部分が容易に撓み変形するように、当該突出部材が当たる部分にスリットを多段に形成している。
【０００５】
【発明が解決しようとする課題】
ところで、人の腰や背は一般に平面視で後ろ向き状に湾曲しており、このため、背の前面は、一般に、人の腰や背の背面にフィットするように平面視で前向き凹状に形成されている。
【０００６】
しかし、前記公報では、突出部材は幅狭であり、背当て板のうち左右中間部を部分的に支持する構造であるため、背当て板の左右中間部が人の腰に強く当たってしまい、着座した人に違和感を与える虞があった。
【０００７】
特に、背もたれが後傾するロッキング椅子の場合、ロッキング時には人の体圧が背もたれに強く作用するため、人の腰が背もたれによって突き上げられるような状態になって、ロッキング状態での快適さが損なわれる虞があった。
【０００８】
本発明は、このような現状を改善することを目的とするものである。
【０００９】
【課題を解決するための手段】
本願発明に係る椅子は、「座と背もたれとを備えており、前記背もたれは、合成樹脂製の背インナー板とその前面に張ったクッションとを備えており、前記背インナー板のうち着座した人の腰部が当たる部分は、前後方向と上下方向とのうち少なくとも上下方向に移動調節できる左右の支持体によって裏側から支持されており、
前記背インナー板に、当該背インナー板が人の腰に当たる部分を中心にして大きく撓み変形することを容易ならしめるための変形容易化手段が、背インナー板の左右側縁まで広がるように形成されており、
更に、前記背インナー板のうち縦長中心線を挟んだ左右両側のエリアでかつ前記支持体が当たる高さ位置とその上下両側とに、前記変形容易化手段として、水平状又は傾斜状に延びるスリットを多段に形成して成るサイドスリット群が設けられている」、という基本構成になっている。
【００１０】
そして、前記基本構成において、前記支持体は、水平状の軸心回りに回転し得るローラであり、このローラが高さ調節自在に配置されている一方、前記サイドスリット群は、背インナー板の外側に開口する状態で多段に形成された外側スリットの群と、前記外側スリットの群の内側において多段に形成された内側スリットの群とから成っており、前記外側スリットと内側スリットとは、前記ローラが当たる部分で左右に分断されて非連続になっている。
【００１１】
【００１２】
【００１３】
なお、背インナー板は、背板や背もたれ板、背当て板などと言い換えてもよい。背インナー板はその背面が外側に露出していても良いし、裏側に配置したカバー類によって全部又は一部が隠れていても良い。
【００１４】
【発明の作用・効果】
本発明によると、変形容易化手段を背インナー板の左右側縁まで広がるように形成したことにより、背インナー板は大きく撓み変形し得るため、着座した人へのフィット感を向上させることができる。
【００１５】
また、背もたれで着座した人の腰を支持できるランバーサポート機能を備えるにおいて、背インナー板は左右のローラの間で平面視後ろ向き凹状に撓み変形し得るため、ランバーサポート機能を保持しつつ、着座した人の腰に対するフィット性を格段に向上することができる。
【００１６】
また、ランバーサポート機能の支持手段としてローラを使用しているため、高さ調節をスムースに行うことができ、また、変形容易化手段としてスリット群を採用しているため、加工を簡単に行える。
【００１７】
さて、支持手段としてローラを使用すると、ローラは線接触の状態で背インナー板に当たるため、サイドスリットが単に水平状に延びているに過ぎない場合は、ローラがサイドスリットを押し広げるような状態になって、背インナー板が破損したり、ランバーサポート機能が損なわれたりする虞がある。
【００１８】
この点、本願発明では、サイドスリットの群は、ローラが当たる部分が左右に分断されるように非連続状に形成されているため、背インナー板がスリットの箇所で広げられる現象を防止でき、そのため、背インナー板の破損・変形やランバーサポート機能の低下を防止することができる。
【００１９】
【発明の実施形態】
次に、本発明の実施形態を図面に基づいて説明する。
【００２０】
(1).第１実施形態（図１〜図21）
(1)-1.概要（図１〜図４）
先ず、図１〜図４に基づいて椅子の概要を説明する。図１は右側面図、図２は正面図、図３は背面図、図４は部材の分離斜視図である。
【００２１】
椅子は事務用等に使用されるいわゆる回転椅子であり、脚支柱（ガスシリンダ）１を立設した脚２と、座３と、肘掛け装置４と、背もたれ５と、ヘッドレスト６とを備えている。脚支柱１の上端には上向きに開口したベース７が固定されており、ベース７の上方に正面視で翼状に広がる中間部材８と、座３とが配置されている。
【００２２】
詳細は省略するが、座３は、合成樹脂製の座板（座インナー部材）にクッションを張った構造になっており、座板の左右両側部を中間部材に対して前後動自在に装着している。
【００２３】
中間部材８の前部と後部とには、左右一対ずつのブラケット部８ａ，８ｂを下向きに突設しており、前ブラケット部８ａを左右長手の第１軸９でベース７に連結している。第１軸９がベース７に嵌まる穴１０は前後長手の長穴になっている。
【００２４】
ベース７の前後略中間部には、揺動フレーム１１の前部が左右長手の第２軸１２によって連結されている。また、揺動フレーム１１の前後中途部には、中間部材８の後部ブラケット８ｂが左右長手の第３軸１３によって連結されている。
【００２５】
図４に示すように、第２軸１２のうちベース７の内部に位置した部位には弾性支持手段の一例として、左右２本のねじりばね（キックばね）１４が振り分けて配置されており、これらねじりばね１４の一端部を受け部材１５で上方から支持し、ねじりばね１４の他端には中間部材８の後部ブラケット８ｂが上方から当たっている。
【００２６】
従って、揺動フレーム１１はねじりばね１４の弾性に抗して後傾し、かつ、中間部材８及び座３は揺動フレーム１１の後傾動に連動して後傾しつつ後退する（すなわち、座３が背もたれ５にシンクロする）。ねじりばね１４の初期弾性力は、受け部材１５に係合したつまみ１６で調節できる。
【００２７】
揺動フレーム１１は、後部に立ち上がり部１１ａを有する側面視略Ｌ字状に形成されており、本実施形態では、アルミのような軽合金（鉄のような他の金属でも良い）のダイキャストや合成樹脂の成形によって製造されている。
【００２８】
背もたれ５は、揺動フレーム１１に取付けたバックフレーム（背支柱）２０と、バックフレーム２０の手前側に配置した背インナー板２１と、バックフレーム２０の裏側に配置した裏カバー（背アウター部材）２２とを備えている。背インナー板２１の前面にはクッション２３を張っている。
【００２９】
以下、図５以下の図面に基づいて背もたれ５の詳細を説明する。まず、背もたれの基本構造を、図５〜図１３を中心にして説明する。
【００３０】
図５は背インナー板２１を省略した状態での背もたれ５の正面図、図６はクッション２３を部分的に表示した縦断側面図、図７はバックフレーム２０と揺動フレーム１１の分離正面図、図８は背もたれ５の分離側断面図、図９は背インナー板２１の背面図で、（Ａ）は全体図、（Ｂ）は部分拡大図、図１０は背インナー板の上部の取付け状態を示す斜視図、図１１は背インナー板２１の下部の取付け状態を示す斜視図、図１２のうち（Ａ）はクロスで覆った状態の背インナー板２１の背面図、（Ｂ）は（Ａ）のＢ−Ｂ視断面図、図１３のうち（４）は背もたれ５の概略平面図、（Ｂ）は背インナー板２１と裏カバー２２との分離平面である。
【００３１】
(1)-2.背もたれの基本構造
既述のとおり、背もたれ５は、金属製のバックフレーム２０と合成樹脂製の背インナー板２１と同じく合成樹脂製の裏カバー２２とを備えており、バックフレーム２０にはランバーサポート機構２５を上下動自在に取付けている。
【００３２】
例えば図７や図８に示すように、バックフレーム２０は左右の支柱２０ａを備えており、左右の支柱２０ａは上部横長部材２０ｂと下部横長部材（下係合部）２０ｃとで連結されている。上部横長部材２０ｂは断面コ字状で下部横長部材２０ｃは丸パイプになっているが、他の断面形状でも良い。また、更に中間横長部材を配置しても良い。
【００３３】
バックフレーム２０における左右支柱２０ａの下端部は、揺動フレーム１１の立ち上がり部１１ａに設けた穴に嵌め込まれており、ねじ２６で固定されている。
【００３４】
例えば図５に示すように、裏カバー２２の上部には前向きに突出した左右長手の水平リブ２７を形成しており、この水平リブ２７に連設した状態で左右一対の下向き開口筒部２８が形成されており、この下向き開口筒部２８に、バックフレーム２０における支柱２０ａの上端を嵌め込み、ねじ２９で固定している。
【００３５】
また、図５，図６、図８に示すように、裏カバー２２の下部には、バックフレーム２０の下部横長部材２０ｃに上方から嵌合するブラケット部３０を一体に設け、ブラケット部３０を下部横長部材２０ｃにねじ３１で固定している。
【００３６】
このように、バックフレーム２０は背もたれ５の上部まで延びており、かつ、裏カバー２２の前面の箇所をバックフレーム２０に固定するものであるため、裏カバー２２をバックフレーム２０に対して強固に固定できる。
【００３７】
また、例えば図６，８，１０に示すように、背インナー板２１の上部には、裏カバー２２の水平リブ２７よりも上方に位置する左右長手の水平片３３を後ろ向きに突設しており、水平片３３の左右両端部に、円柱状の上取付け部３４を下向きに突設し、これを、裏カバー２２の水平リブ２７に連設した円筒状の上受け部３５に上方から嵌め込んでいる。
【００３８】
この場合、上取付け部３４と背インナー板２１とは補強のために板状部３４ａによって一体に接続されている一方、裏カバー２２の上受け部３５には、板状部３４ａが嵌合する縦溝３６（図１０参照）を形成している。
【００３９】
また、上取付け部３４の先端には、上受け部３５の下端面に引っ掛かり係合する上係合爪３７を一体に設けている。このため、上取付け部３４を上受け部３５に嵌め込むと、背インナー板２１は上向き抜け不能に保持される。係合爪３７を外側から内側に押しやった状態で背インナー板２１を上向きに押し上げると、背インナー板２１を取り外すことができる。
【００４０】
裏カバー２２の左右両側部には、水平リブ２７に連設した状態で前向きに突出する縦リブ３８が形成されているが、係合爪３７の箇所では縦リブ３８は高さがごく低い切り欠き部３８ａ（図５，６参照）となっていて、係合爪３７の押し曲げ操作に支障が無いように配慮されている（完全に途切れても良い）。
【００４１】
(1)-3.背インナー板の他の構造
背インナー板２１の下部には、バックフレーム２０の下部横長部材２０ｃと裏カバー２２との間の空間に上方から入る下取付け部３９を一体に形成している。下取付け部３９は、背インナー板２１が手前側に移動し得るように上下方向に長く延びており、その下端に、バックフレーム２０の下部横長部材２０ｃに引っ掛かることによって背インナー板２１の前向き移動限度を規制する爪３９ｃが設けられている。
【００４２】
また、図１１に示すように、背インナー板２１には下取付け部３９の上部を上と左右から囲うようなスリット４０が形成されており、このため、下取付け部３９を前後移動させるように容易に変形させることができる。換言すると、下取付け部３９を下部横長部材２０ｃに係合させた状態で、背インナー板２１の下部を手前に押しやるように容易に撓み変形させることができる。
【００４３】
背インナー板２１を取付ける場合は、先に下取付け部３９を下部横長部材２０ｃと裏カバー２２との間に挿入してから、上部取付け部３４を裏カバー２２の上受け部３５に弾性に抗して嵌め込むことになる。取り外しは逆の手順で行う。
【００４４】
背インナー板２１の背面と下取付け部３９との間の間隔はバックフレーム２０の下部横長部材２０ｃの直径よりも大きいため、背インナー板２０がその下部において前後動することが許容されており、このため、背インナー板２０は側面視でも撓み変形が可能になっており、その結果、着座した人に対するフィット感が高い利点がある。
【００４５】
クッション２３の表面はクロス（布等の表皮材）３２で覆われているが、図１２に示すように、本実施形態では、クロス３２を袋状に形成して、その開口縁にファスナー４４を設けることにより、取付け・取り外しの容易性を損なうことなく、クロス３２をピンと張った状態に保持している。
【００４６】
クロス３２には、水平リブ２７や下取付け部３９が露出するように穴を空けている。また、図１０や図１２（Ｂ）に示すように、背インナー板２１の水平片３３には左右に長い長溝穴４１が形成されており、この長溝穴４１に、クロス３２の上縁部３２ａを上方から差し込むことにより、水平片３３の箇所でクロス３２を美麗に処理している。
【００４７】
ヘッドレスト６は左右の支柱４２を備えており、左右の支柱４２は、裏カバー２２の前面に設けた上下一対ずつの受け筒部４３，４３′に差し込み装着されており、ねじで固定されている。
【００４８】
図９に示すように、背インナー板２１のうち水平片３３より下方の部位には、左右中間部を挟んだ両側に位置するサイドスリット群４５を形成している。また、左右中間部には、水平状に延びる複数本のスリットよりなるセンタースリット群４６を形成している。
【００４９】
サイドスリット群４５は、同じ高さ位置で水平状に延びる外側スリット４７の群と、外側スリット４７の内側に位置した内側スリット４８の群とに分断されており、各内側スリット４８に、隣合った外側スリット４７の端部間に入り込む段部４８ａを形成している。このため、サイドスリット群４５には、内外のスリット４７，４８の群が分断された状態で重複した非連続部４９が上下方向に延びるように形成されている。
【００５０】
各外側スリット４７は、背インナー板２１の側端から開口するように切り開かれている。なお、図１７や図１８のような側断面図ではスリット群は省略している。
【００５１】
(1)-4.ランバーサポート機構の構造
次に、図１４以下の図面も参照してランバーサポート機構２５について説明する。
【００５２】
図１４のうち（Ａ）は部分平面図、（Ｂ）は部分正面図，（Ｃ）は部分的な右側面図、図１５は要部の正面図、図１６は背インナー板２１の側縁部の正面図、図１７は図１５のXVII−XVII視断面図、図１８のうち（Ａ）は図１５の XVIII-XVIII視断面図、（Ｂ）は部材の分離図、（Ｃ）は（Ａ）の部分的な破断図、図１９は図１８のＸIX−ＸIX視断面図、図２０は図１８のXX−XX視断面図、図２１のうち（Ａ）は図１９の XXI-XXI視断面図、（Ｂ）は作用を示す概略図である。
【００５３】
ランバーサポート機構２５は、背インナー板２１のうち特に着座した人の腰に当たる部分を前向き突出させることにより、着座した人に、その体格に応じて背もたれ５をフィットさせるためのものである。
【００５４】
本実施形態のランバーサポート機構２５は、バックフレーム２０の支柱２０ａに上下動自在に装着したスライドケース（昇降手段の一例）５１と、左右のスライドケース５１を一体に連結する連結板（連結手段の一例）５２と、スライドケース５１に設けた押圧アーム（押圧手段の一例）５３と、左右の押圧アーム５３を一緒に回動させるための連動軸（連動手段の一例）５４と、左右の押圧アーム５３を操作する操作手段の一例であるハンドル５５とを備えている。
【００５５】
図１９に示すように、スライドケース５１の内部には合成樹脂製の２つ割り式のスライダー５０が装着されている。また、図１５及び図１７に示すように、スライダー５６には下向き（上向きでも良い）に延びる片持ち梁状で先端が側断面山形に形成された撓み爪５７を設ける一方、裏カバー２２のうちスライドケース５１の後方位置に設けたリブ５８に、前記撓み爪５７が係合する側面視鋸歯状の凹凸部５８ａを形成している。
【００５６】
従って、スライドケース５１に対して上向き又は下向きのある程度の力を掛けると、撓み爪５７を弾性変形させてランバーサポート機構２５を上下動させることができ、かつ、上下方向の外力がなくなると、ランバーサポート機構２５はその高さに停止する。これにより、身長の違いに関係なく、着座した人の腰を的確に支持することができる。
【００５７】
スライドケース５１及びスライダー５６には、連動軸５４の左右端部が回転可能に貫通している。連動軸５４は左右スライドケース５１の間でクランク状に曲げられており、図１８（Ｃ）に示すように、連動軸５４のクランク部を連結板５２に当てることにより、一方方向の回転限度が規制されている。
【００５８】
図２１に示すように、スライドケース５１の左右側面部には、平断面略コ字状で上下に延びる受けケース６０が固定されており、この受けケース６０に平断面略コ字状の前記押圧アーム５３が前方から被さっている。そして、押圧アーム５３の上部に前記連動軸５４の左右端部が貫通しており、連動軸５４に押圧アーム５３を固定している。
【００５９】
従って、押圧アーム５３は連動軸５４と一体に回動する。連動軸５４の端部は受けケース６０に貫通しており、受けケース６０は連動軸５４に対する軸受けの役割も果たしている。
【００６０】
受けケース６０の上下中途部には、左右長手の支軸６１により、歯車６２とカム６３とが回転自在に支持されている。支軸６１と歯車６２とカム６３とは一体に回転するようになっている。
【００６１】
図２１に示すように、歯車６２の外周面で押圧アーム５３を支持するようになっているが、カム６３の外周面に軸心からの距離が異なる複数（６個）のカム面を形成することにより、歯車６２が回転すると押圧アーム５３が連動軸５４の端部を中心にして回動するように設定している。
【００６２】
押圧アーム５３の下端には、背インナー板２１の背面に当たるローラ６４を設けている。背インナー板２１は平面視で前向き凹状に湾曲しているため、図２０に示すように、ローラ６４はテーパ状に形成されている。
【００６３】
そして、図１６に示すように、背インナー板２１における左右サイドスリット群４５の非連続部４９にローラ６４が当たるように設定している。なお、ローラ６４は左右のサイドスリット群４５の全高にわたって昇降する訳ではなく、ローラ６４が昇降する範囲は限られている。従って、非連続部４９は、少なくともローラ６４が当たる範囲に形成すれば足りる。
【００６４】
ところで、ローラ６４は水平状の姿勢で線接触の状態で背インナー板２１に当たるため、仮にサイドスリット群４５が直線状に延びるスリットによって形成されているに過ぎない場合は、ローラ６４でスリットが押し広げられ、背インナー板２１が破損・変形する虞があると共に、ローラ６４による背インナー板２１の押し出しが不完全になる虞がある。
【００６５】
これに対して本実施形態のようにローラ６４を背インナー板２１の非連続部４９に当てると、内外のスリット４７，４８は繋がっていないため、ローラ６４がどの高さ位置にあっても、背インナー板２１がスリット４７，４８の箇所で押し広げられることはなく、その結果、背インナー板２１の破損変形を防止できると共に、ローラ６４による背インナー板２１の押し出し機能が不完全になることはない。
【００６６】
また、既に述べたように、内外のスリット４７，４８がその端部において上下に重複していることと、外側スリット４７が背インナー板２１の側端に開口していることとが相俟って、背インナー板２１を側面視で前向き凸となるように的確に撓み変形させることができる。
【００６７】
図１８に示すように、受けケース６０の内部には、連動軸５４の端部に固定されたシーソー式回動部材６５が配置されており、回動部材６５に、歯車６２に噛合する爪材６６を取付けている。従って、回動部材６５を回動させると、歯車６２とカム６３とを回転させることができる。
【００６８】
この場合、回動部材６５を図１８の黒抜き矢印方向に回動させると歯車６２が右側面視で半時計回り方向のみに間欠的に回転するように、歯車６２の歯を非対称状台形に形成して、かつ、受けケース６０に、歯車６２の逆転を阻止する弾性ストッパー６７を取付けている。
【００６９】
そして、左右の回動部材６５にハンドル５５の左右端部をねじ６８で固定している。ハンドル５５は裏カバー２２を後ろ側から覆うように形成されている。また、ハンドル５５の左右端部に立ち上がり部５５ａを設け、立ち上がり部５５ａの上端が回動部材６５に固定されている。ハンドル５５と裏カバー２２との間には、当該ハンドル５５を人が握ったり、ハンドル５５に服やタオルなどを掛けたりすることのできる程度の空間が空いている。
【００７０】
(1)-5.ランバーサポート機構の動き
ハンドル５５を手で持って手前側に回動させると、回動部材６５が回動して歯車６３が一方向に間欠的に回転するため、すなわち、歯車６３はロータリー式になっているため、押圧アーム５３が回動することによって背インナー板２１を少しずつ押し出せると共に、背インナー板２１を最大突出位置まで押し出してから次にハンドル５５を回動させると、背インナー板２１は最も後退した位置に戻る。
【００７１】
また、ハンドル５５を手で持ってある程度の力を掛けて上下方向に押し引きすると、前記した撓み爪５１と凹凸部５２ａとの作用により、ランバーサポート機構２５をごく細かいピッチで上下動させることができる。
【００７２】
本実施形態のようにハンドル５５の左右端部に立ち上がり部（端部から見ると垂下部となる）５５ａを設けると、着座した状態でハンドル５５を簡単に掴むことができるため、着座した状態のままでランバーサポート機構２５の高さ調節や突出量調節を簡単に行うことができる利点がある。なお、本実施形態では、ハンドル５５の操作は、上半身を背もたれ５から浮かした状態で行う。
【００７３】
図１８から容易に理解できるように、ローラ６４を押圧アーム５３に取付けるに当たっては、押圧アーム５３の左右側板に形成したくびれ状穴６９にボス７０を強制的に嵌め込んでおり、このため、ローラ６４をワンタッチ的に取付けることができる。
【００７４】
【００７５】
(2).第２実施形態（図22〜図32）
図２２〜図３２では第２実施形態を示している。この実施形態は、背インナー板２１と裏カバー２２との別形態を示しており、背もたれ４の基本的な構造は第１実施形態と同じである。
【００７６】
(2)-1.裏カバー
裏カバー２２は図２２〜２５に示されている。図２２は背インナー板２１と裏カバー２２との分離側断面図、図２３は裏カバー２２の正面図、図２４は図２３の XXIV-XXIV視断面図である。
【００７７】
裏カバー２２は第１実施形態とほぼ同様であるが、第１実施形態との相違点としては、下部の前面に、背インナー板２１の下取付け部３９が係合する係止バー７２を一体に形成している点が挙げられる（第１実施形態では、下取付け部３９はバックフレーム２０の下横長部材２０ｃに係合していた）。
【００７８】
このように係止バー７２を裏カバー２２に設けると、係止バー７２はバックフレーム２０とは関係なしに任意の位置に配置できるため、背インナー板２１の下取付け部３９の位置も、任意の位置に形成できる利点がある。
【００７９】
ヘッドレスト６の支柱４２の下端を支持するために裏カバー２２に設けた下方の受け筒部４３′には、支柱４２に形成した係合穴４２ａに係合する爪４３ａを形成している。従って、支柱４２は上向き抜け不能に保持される（なお、この点は第１実施形態も同じである）。
【００８０】
(2)-2.背インナー板
背インナー板２１は、図２２に加えて、図２５〜３２に示されている。図２５は背面図、図２６はクッション２３を張った状態での部分的な側断面図、図２７は部分的な背面図、図２８は図２７の XXVIII-XXVIII視断面図、図２９は図２７の XXIX-XXIX視断面図、図３０は裏側から見た部分的な破断斜視図、図３１は図３０の XXXI-XXXI視の高さ位置で切断した平断面図、図３２は背インナー板２１と裏カバー２２との取付けを示す分離断面図である。
【００８１】
背インナー板２１には水平片３３を形成しているが、この場合、例えば図３０に示すように、水平片３３の先端縁に下向きリブ３３ａを形成しており、更に、図３１に示すように、水平片３３の左右両側の部位では前向き凹所７３を形成し、これに補強リブ７４を形成している。
【００８２】
背インナー板２１の上取付け部３４は、下向き開口のスリットによって側面視で二股状に形成されていると共に、上下貫通する穴７５が空いている。また、上係合爪３７は後ろ向きに突出している。
【００８３】
そして、図３２に示すように、背インナー板２１の上取付け部３４を裏カバー２２の上受け部３４に嵌め込むことになるが、背インナー板２１の上取付け部３４は二股状であるため、上取付け部３４を簡単に嵌め込むことができる。
【００８４】
そして、上取付け部３４に貫通した穴７５にねじ（ビス）７６をねじ込んだり、ピン７７を嵌め込んだりすると、上取付け部３４は変形不能に保持されるため、背インナー板２１は裏カバー２２に固定された状態に保持される。つまり、背インナー板２１は、着脱の容易性を損なうことなく、裏カバー２２に対して強固に取付けることができる。
【００８５】
第１実施形態と同様に、背インナー板２１の水平片３３は上向きに露出しているため、ねじ７６やピン７７の挿脱は簡単に行うことができる。
【００８６】
図２７及び図２８に示すように、水平片３３には、クロス３２の上縁部３２ａを挟み込む長溝穴４１が形成されているが、本実施形態では、長溝穴４１は、左右の凹所７４の間の部位に形成している。
【００８７】
また、クロス３２ａの上縁部３２ａは縫着等によって筒状に形成されており、これに針金のような線材（又は棒材）７８を挿入し、この線材７８の両端部は、背インナー板２１に形成した鉤部７９に引っ掛けている。従って、クロス３２の上縁部３２ａが長溝穴４１から外れることはない。
【００８８】
図２７及び図２９に示すように、背インナー板２１のうち水平片３３の付け根部のような適当な部位に、左右一対の穴８０を空けており、この穴８０に、クロス３２に縫着等によって一体に設けた吊り紐８１を通して、この吊り紐８１を背インナー板２１の裏側で結んでいる。このため、クロス３２がずり下がることを防止できる。
【００８９】
クッション２３には、吊り紐８１を挿通するための逃がし穴８２が空いている。なお、吊り紐８１を通すための穴の個数や場所は自由に設定できる。
【００９０】
本実施形態のサイドスリット群４５は第１実施形態と同様の形状であるが、第１実施形態とは異なって、非連続部４９は上部に行くに従って左右外側にずれるように形成されている。これは、背インナー板２１のうち人の腰に当たる部分が容易に変形し、かつ、変形の程度をサイドスリット群４５の上部に行くに従って小さくすることにより、背インナー板４１を滑らかに変形させて、背インナー板２１を人の身体にフィットさせるためである。
【００９１】
サイドスリット群４５のうち、上下に隣合ったセンタースリット群４６で挟まれた高さに位置したものは、センタースリット４６に近接する部位まで延長させている。これは、背インナー板２１のうち人の腰に当たる部分を容易に変形させるためである。
【００９２】
本実施形態では、クッション３２は背インナー板２１にインサート成形法によって一体に接着している。このため、図２６に示すように、クッション２１はサイドスリット群４５やセンタースリット群４６を貫通して、背インナー板２１の裏側まで回り込んでいる。
【００９３】
また、図２５に示すように、背インナー板２１には、クッション２３が入り込む捨て穴８３を多数形成している。言うまでもないが、クッション２３は単に重ねただけでも良いし、接着剤によって接着してもよい。
【００９４】
(3).参考例及び他の実施形態（図33〜図39）
図３３に示す第１参考例では、サイドスリット群４５の外スリット４７は、背インナー板２１の外側には開口しない状態に形成している。
【００９５】
図３４に示す第２参考例では、サイドスリット群４５を構成する各スリットは、外側スリット４５ａと内側スリット４５ｂとが中途部に段部４５ｃを介して左右に連続した状態に形成されている。
【００９６】
図３５に示す第３参考例では、サイドスリット群４５を構成する各スリットは連続して長く延びると共に外側スリット４５ａと内側スリット４５ｂとの間の中途部に山部４５ｄを備えている。また、背インナー板２１にはその外側に開口する短い長さのサブスリット８７の群が形成されている。
【００９７】
図３６に示す第３実施形態では、サイドスリット群４５を内外のスリット４７，４８によって形成した場合において、両スリット４７，４８に、平面視で互いに重なるような傾斜部４７ｂ，４８ｂを形成している。図３７に示す第４実施形態は、サイドスリット群４５の形状は第１実施形態と同じであるが、非連続部４９を厚肉に形成している（（Ｂ）は（Ａ）のＢ−Ｂ視断面図である）。
【００９８】
【００９９】
(4).その他
本発明は上記の実施形態の他にも様々に具体化できる。
【０１００】
例えば裏カバー及び背インナー板は、デザイン等の必要に応じて様々に具体化することができる。ランバーサポート機構を設ける場合、その構造は図示のものに限定されるものではなく、例えば片側だけにハンドルを設けるなど、様々に具体化することができる。背インナー板は裏カバーのみに取付けても良い。
【０１０１】
背インナー板の下部を裏カバー又はバックフレームに取付ける手段としては、裏カバー又はバックフレームに側面視で上向きの鉤状受け部を設ける一方、背インナー板の裏面に、前記受け部に嵌まる平面視門型の下取付け部を設けるなどしても良い。もちろん、他の遊び付き係合手段を設けても良い。
【図面の簡単な説明】
【図１】第１実施形態に係る椅子の右側面図である。
【図２】椅子の正面図である。
【図３】椅子の背面図である。
【図４】ベースと中間部材との分離斜視図である。
【図５】背インナー板を省略した状態での背もたれの正面図である。
【図６】クッションを部分的に表示した縦断側面図である。
【図７】バックフレームと揺動ハンドルの分離正面図である。
【図８】背もたれの分離側断面図である。
【図９】背インナー板の背面図である。
【図10】背インナー板の上部の取付け状態を示す斜視図である。
【図11】背インナー板の下部の取付け状態を示す斜視図である。
【図12】 (A)はクロスで覆った状態の背インナー板の背面図、 (B)は (A)の B-B視断面図である。
【図13】 (A)は背もたれの概略平面図、 (B)は背インナー板と裏カバーとの分離平面である。
【図14】 (A)は部分的な分離平面図、 (B)は部分正面図、 (C)は部分的な右側面図である。
【図15】ランバーサポート機構の要部の正面図である。
【図16】背インナー板の側縁部の正面図である。
【図17】図１５のXVII−XVII視断面図である。
【図18】 (A)は図１５の XVIII-XVIII視断面図、 (B)は部材の分離図、 (C)は (A)の部分的な破断図である。
【図19】図１８のXIX-XIX 視視断面図である。
【図20】図１８のXX−XX視断面図である。
【図21】 (A)は図１９の XXI-XXI視断面図、 (B)は作用を示す概略図である。
【図22】第２実施形態における背インナー板と裏カバーとの分離側断面図である。
【図23】裏カバーの正面図である。
【図24】図２３の XXIV-XXIV視断面図である。
【図25】背面図である。
【図26】クッションを張った状態での背インナー板の部分的な側断面図である。
【図27】背インナー板の部分的な背面図である。
【図28】図２７の XXVIII-XXVIII視断面図である。
【図29】図２７の XXIX-XXIX視断面図である。
【図30】背インナー板を裏側から見た部分的な破断斜視図である。
【図31】図３０の XXXI-XXXI視の高さ位置で背インナー板を切断した平断面図である。
【図32】背インナー板と裏カバー２２との取付けを示す分離断面図である。
【図33】第１参考例を示す図である。
【図34】第２参考例を示す図である。
【図35】第３参考例を示す図である。
【図36】第３実施形態を示す図である。
【図37】第４実施形態を示す図である。
【符号の簡単な説明】
５  背もたれ
７  ベース
２１  背インナー板
２２  裏カバー
２５  ランバーサポート機構
４５  サイドスリット群
４６  センタースリット群
４７  外側スリット
４８  内側スリット
４９  非連続部
【図１】
0004078068.tif 000002
【図２】
0004078068.tif 000003
【図３】
0004078068.tif 000004
【図４】
0004078068.tif 000005
【図５】
0004078068.tif 000006
【図６】
0004078068.tif 000007
【図７】
0004078068.tif 000008
【図８】
0004078068.tif 000009
【図９】
0004078068.tif 000010
【図１０】
0004078068.tif 000011
【図１１】
0004078068.tif 000012
【図１２】
0004078068.tif 000013
【図１３】
0004078068.tif 000014
【図１４】
0004078068.tif 000015
【図１５】
0004078068.tif 000016
【図１６】
0004078068.tif 000017
【図１７】
0004078068.tif 000018
【図１８】
0004078068.tif 000019
【図１９】
0004078068.tif 000020
【図２０】
0004078068.tif 000021
【図２１】
0004078068.tif 000022
【図２２】
0004078068.tif 000023
【図２３】
0004078068.tif 000024
【図２４】
0004078068.tif 000025
【図２５】
0004078068.tif 000026
【図２６】
0004078068.tif 000027
【図２７】
0004078068.tif 000028
【図２８】
0004078068.tif 000029
【図２９】
0004078068.tif 000030
【図３０】
0004078068.tif 000031
【図３１】
0004078068.tif 000032
【図３２】
0004078068.tif 000033
【図３３】
0004078068.tif 000034
【図３４】
0004078068.tif 000035
【図３５】
0004078068.tif 000036
【図３６】
0004078068.tif 000037
【図３７】
0004078068.tif 000038